Podtech/llm-jp-corpus-v4-ja_patent huggingface dataset:
【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
撮像部と、
撮像部を介して取得したＲａｗデータと、該Ｒａｗデータの現像処理に適用する複数のパラメータセットを格納したＲａｗ画像ファイルの生成処理を実行し、記憶部に格納する処理を実行するデータ処理部と、
を有することを特徴とする撮像装置。
【請求項２】
前記データ処理部は、
前記Ｒａｗデータに対する複数の異なるパラメータセットを適用した現像処理を実行して現像済み画像または現像途中画像を生成し、該生成した現像済み画像または現像途中画像と画像生成に適用したパラメータセットを含むデータセットを設定して、前記Ｒａｗ画像ファイルに格納する処理を実行する構成であることを特徴とする請求項１に記載の撮像装置。
【請求項３】
前記データ処理部は、
前記Ｒａｗデータに対する複数の異なるパラメータセットを適用した現像処理によって生成される現像済み画像または現像途中画像に対応するサムネール画像を生成し、該生成したサムネール画像と画像生成に適用したパラメータセットを含むデータセットを設定して、前記Ｒａｗ画像ファイルに格納する処理を実行する構成であることを特徴とする請求項１に記載の撮像装置。
【請求項４】
前記データ処理部は、
前記パラメータセットと、該パラメータセットに対応する属性情報を含む支援情報を含むデータセットを設定して、前記Ｒａｗ画像ファイルに格納する処理を実行する構成であることを特徴とする請求項１に記載の撮像装置。
【請求項５】
前記データ処理部は、
前記Ｒａｗデータに対する複数の異なるパラメータセットを適用した現像処理を実行して現像済み画像または現像途中画像を生成し、該生成した現像済み画像または現像途中画像と、該画像生成に適用した現像処理パラメータと異なる現像処理ステップに対応するパラメータセットを含むデータセットを設定して、前記Ｒａｗ画像ファイルに格納する処理を実行する構成であることを特徴とする請求項１に記載の撮像装置。
【請求項６】
前記データ処理部は、
撮像部を介して取得したＲａｗデータと、該Ｒａｗデータの現像処理に適用する複数のパラメータセットを格納したマスターファイルと、
前記マスターファイルに格納した前記複数のパラメータセットを個別に格納したサブファイルを生成し、記憶部に格納する処理を実行する構成であることを特徴とする請求項１に記載の撮像装置。
【請求項７】
前記データ処理部は、
前記サブファイルに格納したパラメータセットを適用した現像処理によって生成される画像データまたは該画像データのサムネール画像データの少なくともいずれかを格納したサブファイルを生成する構成であることを特徴とする請求項６に記載の撮像装置。
【請求項８】
前記データ処理部は、
前記マスターファイルと前記サブファイルに対して、相互のファイルの関連を示す識別情報を格納する処理を実行する構成であることを特徴とする請求項６に記載の撮像装置。
【請求項９】
画像処理装置であり、
撮像装置によって取得されたＲａｗデータ、または該Ｒａｗデータに基づく現像処理によって生成された現像画像または現像途中画像データの少なくともいずれかの画像データと、現像処理に適用するパラメータセットを入力するデータ入力と、
前記Ｒａｗデータ、現像画像または現像途中画像に対して、入力パラメータセットを適用した画像処理を実行し、新たな画像データの生成処理を実行するデータ処理部と、
を有することを特徴とする画像処理装置。
【請求項１０】
前記データ処理部は、
現像画像または現像途中画像に対する入力パラメータセットを適用した画像処理として、現像処理の逆処理を実行して、Ｒａｗデータまたは擬似Ｒａｗデータを生成する処理を実行する構成であることを特徴とする請求項９に記載の画像処理装置。
【請求項１１】
撮像ステップと、
撮像ステップにおいて取得したＲａｗデータと、該Ｒａｗデータの現像処理に適用する複数のパラメータセットを格納したＲａｗ画像ファイルの生成処理を実行し、記憶部に格納する処理を実行するデータ処理ステップと、
を有することを特徴とする画像処理方法。
【請求項１２】
画像処理方法であり、
撮像装置によって取得されたＲａｗデータ、または該Ｒａｗデータに基づく現像処理によって生成された現像画像または現像途中画像データの少なくともいずれかの画像データと、現像処理に適用するパラメータセットを入力するデータ入力ステップと、
前記Ｒａｗデータ、現像画像または現像途中画像に対して、入力パラメータセットを適用した画像処理を実行し、新たな画像データの生成処理を実行するデータ処理ステップと、
を有することを特徴とする画像処理方法。
【請求項１３】
画像データの取得およびメモリ格納を撮像装置において実行させるコンピュータ・プログラムであり、
撮像ステップと、
撮像ステップにおいて取得したＲａｗデータと、該Ｒａｗデータの現像処理に適用する複数のパラメータセットを格納したＲａｗ画像ファイルの生成処理を実行し、記憶部に格納する処理を実行するデータ処理ステップと、
を有することを特徴とするコンピュータ・プログラム。
【請求項１４】
画像処理を画像処理装置において実行させるコンピュータ・プログラムであり、
撮像装置によって取得されたＲａｗデータ、または該Ｒａｗデータに基づく現像処理によって生成された現像画像または現像途中画像データの少なくともいずれかの画像データと、現像処理に適用するパラメータセットを入力するデータ入力ステップと、
前記Ｒａｗデータ、現像画像または現像途中画像に対して、入力パラメータセットを適用した画像処理を実行し、新たな画像データの生成処理を実行するデータ処理ステップと、
を有することを特徴とするコンピュータ・プログラム。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３１
【補正方法】削除
【補正の内容】
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
通話機能とその他の機能を有する通信装置において、前記通信装置は、
任意のテンキーに通信装置の所望の機能を割り当てるショートカットキー登録処理部と、
登録したショートカットキーの機能を有効にするための機能選択キーと、通話のための通話キーと、テンキーを備えた操作部と、
前記機能選択キーまたは通話キーが操作された場合に通信装置を操作されたキーに応じたモードに変更するモード制御部と、変更されたモードを記憶するモード記憶部と、を備え、
前記モード記憶部に記憶されたモードに応じて、操作されたテンキーをショートカットキーまたは電話番号入力のための数値キーとして動作させることを特徴とする通信装置。
【請求項２】
通話機能とその他の機能を有する通信装置において、前記通信装置は、
任意のテンキーに通信装置の所望の機能を割り当てるショートカットキー登録処理部と、
通話のための通話キーと、テンキーを備えた操作部と、
前記通話キーの操作の有無に基づいて、前記通信装置を通話モード、または登録したショートカットキーの機能を有効にする動作モードに変更するモード制御部と、変更されたモードを記憶するモード記憶部と、を備え、
前記モード記憶部に記憶されたモードに応じて、操作されたテンキーをショートカットキーまたは電話番号入力のための数値キーとして動作させることを特徴とする通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明は、携帯電話等の通信装置の機能キーに関するものであり、特に、利用者が１つまたは２つ程度のテンキー、文字キーを選択して任意の機能を起動するためのショートカットキーとして機能登録することができるように構成し、待ち受け状態あるいは通話キー操作の有無をトリガーにして、利用者が操作したテンキー、文字キーに登録されたショートカットキー機能を能動化できるように構成した通信装置に関するものである。
【手続補正４】
【補正対象書類名】明細書
【補正対象項目名】００１６
【補正方法】変更
【補正の内容】
【００１６】
前記課題を解決するために、本願の請求項１にかかる発明は、通話機能とその他の機能を有する通信装置において、前記通信装置は、任意のテンキーに通信装置の所望の機能を割り当てるショートカットキー登録処理部と、登録したショートカットキーの機能を有効にするための機能選択キーと、通話のための通話キーと、テンキーを備えた操作部と、前記機能選択キーまたは通話キーが操作された場合に通信装置を操作されたキーに応じたモードに変更するモード制御部と、変更されたモードを記憶するモード記憶部と、を備え、前記モード記憶部に記憶されたモードに応じて、操作されたテンキーをショートカットキーまたは電話番号入力のための数値キーとして動作させることを特徴とする。
【手続補正５】
【補正対象書類名】明細書
【補正対象項目名】００１７
【補正方法】変更
【補正の内容】
【００１７】
また、本願の請求項２にかかる発明は、通話機能とその他の機能を有する通信装置において、前記通信装置は、任意のテンキーに通信装置の所望の機能を割り当てるショートカットキー登録処理部と、通話のための通話キーと、テンキーを備えた操作部と、前記通話キーの操作の有無に基づいて、前記通信装置を通話モード、または登録したショートカットキーの機能を有効にする動作モードに変更するモード制御部と、変更されたモードを記憶するモード記憶部と、を備え、前記モード記憶部に記憶されたモードに応じて、操作されたテンキーをショートカットキーまたは電話番号入力のための数値キーとして動作させることを特徴とする。
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
被写体を撮影し画像データを生成する撮像手段と、
前記撮像手段による撮影がなされたことに応じて、前記画像データと、前記画像データに対する印刷枚数設定画面とを表示する表示手段と、
前記表示手段における表示に基づき、前記表示手段に表示された画像データに対する印刷枚数を設定する枚数設定手段と、
前記印刷枚数が設定された場合に、前記画像データと前記印刷枚数とを外部印刷装置に送信する送信手段とを備えることを特徴とする撮像装置。
【請求項２】
前記撮像装置のユーザが操作可能な操作手段を備え、
前記枚数設定手段は、前記操作手段に対する操作入力に基づいて、前記印刷枚数の設定を行うことを特徴とする請求項１に記載の撮像装置。
【請求項３】
前記枚数設定手段は、
予め所定の印刷枚数に対応する数値が割り当てられた複数の参照画像を記憶する記憶手段と、
前記表示手段に表示された第１の画像データの後に前記撮像手段が生成した第２の画像データが、前記複数の参照画像のいずれかと一致するか否かを判定する判定手段とを備え、
前記第２の画像データが前記複数の参照画像のいずれかと一致すると判定された場合に、一致すると判定された前記参照画像に割り当てられた数値を前記印刷枚数として設定することを特徴とする請求項１に記載の撮像装置。
【請求項４】
前記表示手段に表示された画像データを、後に他の画像データと共に一括送信する設定を受け付ける一括送信設定受付手段を更に備え、
前記送信手段は、前記一括送信の設定がなされた画像データを、前記外部印刷装置に一括送信することを特徴とする請求項１乃至３のいずれか１項に記載の撮像装置。
【請求項５】
撮像手段が被写体を撮影し画像データを生成する撮像工程と、
前記撮像手段による撮影がなされたことに応じて、前記画像データと、前記画像データに対する印刷枚数設定画面とを表示装置に表示させる表示工程と、
前記表示装置に前記印刷枚数設定画面が表示された後に、前記表示装置に表示された画像データに対する印刷枚数を設定する枚数設定工程と、
前記枚数設定工程で前記印刷枚数の設定を受け付けた場合に、前記画像データと前記印刷枚数とを外部印刷装置に送信する送信工程と
を備えることを特徴とする撮像装置の制御方法。
【請求項６】
前記枚数設定工程では、前記撮像装置のユーザが操作可能な操作部に対する操作入力に基づいて、前記印刷枚数の設定が行われることを特徴とする請求項５に記載の撮像装置の制御方法。
【請求項７】
前記枚数設定工程は、前記表示装置に表示された第１の画像データの後に前記撮像部で生成された第２の画像データが、記憶部に記憶された予め所定の印刷枚数に対応する数値が割り当てられた複数の参照画像のいずれかと一致するか否かを判定する判定工程を備え、
前記第２の画像データが、前記複数の参照画像のいずれかと一致すると判定された場合に、一致すると判定された前記参照画像に割り当てられた数値を前記印刷枚数として設定することを特徴とする請求項５に記載の撮像装置の制御方法。
【請求項８】
前記表示装置に表示された画像データを、後に他の画像データと共に一括送信する設定を受け付ける一括送信設定受付工程を更に備え、
前記送信工程では、前記一括送信の設定がなされた画像データが、前記外部印刷装置に一括送信されることを特徴とする請求項５乃至７のいずれか１項に記載の撮像装置の制御方法。
【請求項９】
請求項５乃至８のいずれか１項に記載の撮像装置の制御方法をコンピュータに実行させるためのコンピュータプログラム。
【請求項１０】
請求項９に記載のコンピュータプログラムを格納したコンピュータで読み取り可能な記憶媒体。
【手続補正２】
【補正対象書類名】明細書
【補正対象項目名】０００９
【補正方法】変更
【補正の内容】
【０００９】
上記課題を解決するための本発明は、被写体を撮影し画像データを生成する撮像手段と、前記撮像手段による撮影がなされたことに応じて、前記画像データと、前記画像データに対する印刷枚数設定画面とを表示する表示手段と、前記表示手段における表示に基づき、前記表示手段に表示された画像データに対する印刷枚数を設定する枚数設定手段と、前記印刷枚数が設定された場合に、前記画像データと前記印刷枚数とを外部印刷装置に送信する送信手段とを備えることを特徴とする。
【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
符号量が可変で、フレーム間相関に基づく動画像符号化方式を用いた動画像圧縮装置であって、
符号化対象画面における複雑度指標を符号化前に算定する圧縮状態予測手段と、
前記圧縮状態予測手段による前記複雑度指標を基に、前記符号化対象画面の割り当て符号量を求める符号量制御手段と、
前記割り当て符号量となるように、前記符号化対象画面を圧縮する圧縮手段と、
を備えた動画像圧縮装置。
【請求項２】
前記符号化対象画面とフレーム間相関の基になる参照画面との比較により、前記符号化対象画面における圧縮難易度を求める映像情報検出手段を備え、
前記圧縮状態予測手段は、
前記映像情報検出手段による圧縮難易度の変化に基づき前記複雑度指標を算定する
請求項１に記載の動画像圧縮装置。
【請求項３】
前記映像情報検出手段は、
前記符号化対象画面または前記符号化対象画面の縮小画面と、前記参照画面または前記参照画面の縮小画面とを互いにずらし、重なった領域が最もよく一致するずらし量を全体ベクトルとして特定する全体ベクトル検索部と、
前記全体ベクトルを特定した重なり領域の統計的類似性指標を算出する類似性演算部と、
を備え、
前記全体ベクトルと前記統計的類似性指標とを前記圧縮難易度とする
請求項２に記載の動画像圧縮装置。
【請求項４】
前記類似性演算部は、
前記符号化対象画面と前記参照画面との重なり領域での共分散に基づく演算で、前記統計的類似性指標を算出する
請求項３に記載の動画像圧縮装置。
【請求項５】
前記圧縮状態予測手段は、
前記符号化対象画面と同一種類の過去の画面における前記統計類似性指標、及び前記全体ベクトルから、前記映像情報検出手段が出力する前記統計類似性指標、及び前記全体ベクトルの変化を求め、その変化の程度に応じて前記複雑度指標を算出する
請求項３または請求項４に記載の動画像圧縮装置。
【請求項６】
符号量が可変で、フレーム間相関に基づく動画像符号化方式を用いた動画像圧縮装置であって、
符号化対象画面の縮小画面と、フレーム間相関の基になる参照画面の縮小画面とを基に前記符号化対象画面の圧縮難易度を算出する映像情報検索手段と、
前記圧縮難易度を基に、前記符号化対象画面の割り当て符号量を求める符号量制御手段と、
前記割り当て符号量となるように、前記符号化対象画面を圧縮する圧縮手段と、
を備えた動画像圧縮装置。
【手続補正２】
【補正対象書類名】明細書
【補正対象項目名】００２０
【補正方法】変更
【補正の内容】
【００２０】
本発明による動画像圧縮装置は、符号量が可変で、フレーム間相関に基づく動画像符号化方式を用いた動画像圧縮装置であって、符号化対象画面における複雑度指標を符号化前に算定する圧縮状態予測手段と、前記圧縮状態予測手段による前記複雑度指標を基に、前記符号化対象画面の割り当て符号量を求める符号量制御手段と、前記割り当て符号量となるように、前記符号化対象画面を圧縮する圧縮手段とを具備している。
上記において、前記符号化対象画面とフレーム間相関の基になる参照画面との比較により、前記符号化対象画面における圧縮難易度を求める映像情報検出手段を備え、前記圧縮状態予測手段は、前記映像情報検出手段による圧縮難易度の変化に基づき前記複雑度指標を算定するという態様がある。
【手続補正３】
【補正対象書類名】明細書
【補正対象項目名】００２２
【補正方法】変更
【補正の内容】
【００２２】
上記において、前記映像情報検出手段は、前記符号化対象画面または前記符号化対象画面の縮小画面と、前記参照画面または前記参照画面の縮小画面とを互いにずらし、重なった領域が最もよく一致するずらし量を全体ベクトルとして特定する全体ベクトル検索部と、前記全体ベクトルを特定した重なり領域の統計的類似性指標を算出する類似性演算部とを備え、前記全体ベクトルと前記統計的類似性指標とを前記圧縮難易度とするという態様がある。
【手続補正４】
【補正対象書類名】明細書
【補正対象項目名】００２４
【補正方法】変更
【補正の内容】
【００２４】
また、上記において、前記類似性演算部は、前記符号化対象画面と前記参照画面との重なり領域での共分散に基づく演算で、前記統計的類似性指標を算出するという態様もある。これにより、精度の高い統計的類似性指標が得られる作用を有する。
【手続補正５】
【補正対象書類名】明細書
【補正対象項目名】００２５
【補正方法】変更
【補正の内容】
【００２５】
また、上記において、前記圧縮状態予測手段は、前記符号化対象画面と同一種類の過去の画面における前記統計類似性指標、及び前記全体ベクトルから、前記映像情報検出手段が出力する前記統計類似性指標、及び前記全体ベクトルの変化を求め、その変化の程度に応じて前記複雑度指標を算出するという態様がある。これにより、ベクトル符号量とＡＣ係数符号量の増減が過去の実績に対する相対的な比率として予測され、符号量と量子化指標の実績値に乗ずることで圧縮状態をより正確に推定する作用を有する。
また、本発明による動画像圧縮装置は、符号量が可変で、フレーム間相関に基づく動画像符号化方式を用いた動画像圧縮装置であって、符号化対象画面の縮小画面と、フレーム間相関の基になる参照画面の縮小画面とを基に前記符号化対象画面の圧縮難易度を算出する映像情報検索手段と、前記圧縮難易度を基に、前記符号化対象画面の割り当て符号量を求める符号量制御手段と、前記割り当て符号量となるように、前記符号化対象画面を圧縮する圧縮手段とを具備している。
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
番組表を表示する電子番組ガイド表示装置であって、
番組に関する情報である番組情報を記憶する番組情報記憶部と、
操作方向を含む入力情報を管理するコントローラ部と、
前記入力情報に基づき、前記番組表を移動させる方向又はスピードを示すスクロールモードを決定し、前記番組表のフォーカス対象セルと描画対象領域とからなる番組表制御情報を更新管理する制御情報管理部と、
前記スクロールモードと前記番組表制御情報に基づき、前記番組表を通常モードで描画するか簡略モードで描画するかを判定する簡略モード判定部と、
前記描画モードが通常モードの場合、フォーカス対象の番組セルを選択セル、フォーカス対象以外の番組セルを通常セルとして分類し、前記描画モードが簡略モードの場合、フォーカス対象以外の番組セルに対して簡略セルか否かを判定する簡略セル判定処理を行って通常セルと簡略セルに分類して番組表の描画情報を生成する番組セル描画方式分類部と、
前記番組セル描画方式分類部で分類された番組セルの種類に応じて描画処理を行う描画部と、
前記描画部で生成された番組表画像を表示するディスプレイと、
を備えることを特徴とする電子番組ガイド表示装置。
【請求項２】
前記制御情報管理部は、
前記スクロールモードとして通常のスピードと通常より高速なスピードの２つ以上のスピード種別を有し、前記コントローラ部からの入力情報に応じてスピード種別を更新する
ことを特徴とする請求項１に記載の電子番組ガイド表示装置。
【請求項３】
前記簡略モード判定部は、
前記制御情報管理部から入力された前記スクロールモードが高速なスピードである場合、簡略モードと判定する
ことを特徴とする請求項１または請求項２に記載の電子番組ガイド表示装置。
【請求項４】
前記簡略モード判定部は、
前記制御情報管理部から入力された描画対象領域が更新される場合に、簡略モードと判定する
ことを特徴とする請求項１から３のいずれかの請求項に記載の電子番組ガイド表示装置。
【請求項５】
前記番組セル描画方式分類部は、
簡略モードの場合に、フォーカス対象以外の番組セルのうちフォーカス対象放送チャンネルの番組セルを通常セル、それ以外を簡略セルと判定する簡略セル判定処理を行う
ことを特徴とする請求項１から４のいずれかの請求項に記載の電子番組ガイド表示装置。
【請求項６】
前記番組セル描画方式分類部は、
簡略モードの場合に、フォーカス対象以外の番組セルのうちフォーカス対象放送チャンネルの番組セル、およびフォーカス対象の時刻または時間帯を含む番組セルを通常セル、それ以外を簡略セルと判定する簡略セル判定処理を行う
ことを特徴とする請求項１から５のいずれかの請求項に記載の電子番組ガイド表示装置。
【請求項７】
前記描画部は、
前記簡略セル描画処理では各番組セルに対して描画位置と大きさで決まるセル領域の塗りつぶしや次の時間の番組との境界線の描画を行い、選択セル描画処理および通常セル描画処理では簡略セル描画処理に加えて番組タイトルと開始時間と番組詳細内容などの番組情報を文字として描画し、さらに非番組セル描画処理として放送チャンネル軸や時刻軸およびチャンネルの境界線などの非番組セル描画対象物の描画を行って番組表画像を生成する
ことを特徴とする請求項１から６のいずれかの請求項に記載の電子番組ガイド表示装置。
【請求項８】
前記描画部は、
簡略セル描画処理では各番組セルに対して描画位置と大きさで決まるセル領域の塗りつぶしや次の時間の番組との境界線の描画、および番組タイトルと開始時間などの番組情報を文字として描画し、選択セル描画処理および通常セル描画処理では簡略セル描画処理に加えて番組詳細内容を文字として描画し、さらに非番組セル描画処理として放送チャンネル軸や時刻軸およびチャンネルの境界線などの非番組セル描画対象物の描画を行って番組表画像を生成する
ことを特徴とする請求項１から７のいずれかの請求項に記載の電子番組ガイド表示装置。
【請求項９】
前記描画部は、
簡略セル描画処理では各番組セルのセル領域の塗りつぶしや文字描画を選択セル描画処理および通常セル描画処理と異なる色あるいは透明度で行って番組表画像を生成する
ことを特徴とする請求項１から８のいずれかの請求項に記載の電子番組ガイド表示装置。
【手続補正２】
【補正対象書類名】明細書
【補正対象項目名】０００６
【補正方法】変更
【補正の内容】
【０００６】
以上のような課題を解決するために、本発明の電子番組ガイド表示装置は、番組表を表示する電子番組ガイド表示装置であって、番組に関する情報である番組情報を記憶する番組情報記憶部と、操作方向を含む入力情報を管理するコントローラ部と、前記入力情報に基づき、前記番組表を移動させる方向又はスピードを示すスクロールモードを決定し、前記番組表のフォーカス対象セルと描画対象領域とからなる番組表制御情報を更新管理する制御情報管理部と、前記スクロールモードと前記番組表制御情報に基づき、前記番組表を通常モードで描画するか簡略モードで描画するかを判定する簡略モード判定部と、前記描画モードが通常モードの場合、フォーカス対象の番組セルを選択セル、フォーカス対象以外の番組セルを通常セルとして分類し、前記描画モードが簡略モードの場合、フォーカス対象以外の番組セルに対して簡略セルか否かを判定する簡略セル判定処理を行って通常セルと簡略セルに分類して番組表の描画情報を生成する番組セル描画方式分類部と、前記番組セル描画方式分類部で分類された番組セルの種類に応じて描画処理を行う描画部と、前記描画部で生成された番組表画像を表示するディスプレイとを備えるので、目的の番組を選択する際に操作性と視認性を両立できる。
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
メカニカルシャッタを備えたレンズ装置が取り外し可能に装着される撮像装置であって、
被写体を撮像して映像信号を生成する撮像手段と、
前記撮像手段を用いて複数の静止画像を連続的に生成する連写手段と、
前記レンズ装置との通信を行う通信手段と、
該通信により前記レンズ装置から受信した前記メカニカルシャッタに関する情報に基づいて、前記連写手段による連写を行うときの画像を生成するタイミングを制御する制御手段とを有することを特徴とする撮像装置。
【請求項２】
前記メカニカルシャッタに関する情報は、前記メカニカルシャッタによる所定時間あたりの連写可能画像数を示す情報であることを特徴とする請求項１に記載の撮像装置。
【請求項３】
前記制御手段は、前記メカニカルシャッタに関する情報に基づいて、前記静止画像を生成する時間間隔を制御することを特徴とする請求項１に記載の撮像装置。
【請求項４】
撮像装置に取り外し可能に装着され、メカニカルシャッタを備えたレンズ装置であって、
前記撮像装置における連写動作の制御に用いられる、前記メカニカルシャッタに関する情報を記憶した記憶手段と、
前記撮像装置に対して前記メカニカルシャッタに関する情報を送信する通信手段とを有することを特徴とするレンズ装置。
【請求項５】
前記メカニカルシャッタに関する情報は、前記メカニカルシャッタによる所定時間あたりの連写可能画像数を示す情報であることを特徴とする請求項４に記載のレンズ装置。
【請求項６】
請求項１から３のいずれか１つに記載の撮像装置と、請求項４又は５に記載のレンズ装置とを有することを特徴とする撮像システム。
【請求項７】
メカニカルシャッタを備えたレンズ装置が取り外し可能に装着される撮像装置の制御方法であって、
被写体を撮像して映像信号を生成するステップと、
複数の静止画像を連続的に生成する連写動作を行うステップと、
前記レンズ装置との通信により該レンズ装置から受信した前記メカニカルシャッタに関する情報に基づいて、前記連写動作を行うときの画像を生成するタイミングを制御するステップとを有することを特徴とする撮像装置の制御方法。
【請求項８】
撮像装置に取り外し可能に装着され、メカニカルシャッタを備えたレンズ装置の制御方法であって、
前記撮像装置における連写動作の制御に用いられる前記メカニカルシャッタに関する情報を記憶手段から読み出すステップと、
前記撮像装置に対して前記前記メカニカルシャッタに関する情報を送信するステップとを有することを特徴とするレンズ装置の制御方法。
【手続補正２】
【補正対象書類名】明細書
【補正対象項目名】０００９
【補正方法】変更
【補正の内容】
【０００９】
本発明の一側面としての、メカニカルシャッタを備えたレンズ装置が取り外し可能に装着される撮像装置は、被写体を撮像して映像信号を生成する撮像手段と、該撮像手段を用いて複数の静止画像を連続的に生成する連写手段と、該レンズ装置との通信を行う通信手段と、該通信レンズ装置から受信したメカニカルシャッタに関する情報に基づいて、連写手段による連写を行うときの画像を生成するタイミングを制御する制御手段とを有することを特徴とする撮像装置。
【手続補正３】
【補正対象書類名】明細書
【補正対象項目名】００１０
【補正方法】変更
【補正の内容】
【００１０】
また、本発明の他の側面としての、メカニカルシャッタを備えた撮像装置に取り外し可能に装着されるレンズ装置は、撮像装置における連写動作の制御に用いられる、メカニカルシャッタに関する情報を記憶した記憶手段と、撮像装置に対して該メカニカルシャッタに関する情報を送信する通信手段とを有することを特徴とする。
【手続補正４】
【補正対象書類名】明細書
【補正対象項目名】００１１
【補正方法】変更
【補正の内容】
【００１１】
また、本発明の他の側面としての、メカニカルシャッタを備えたレンズ装置が取り外し可能に装着される撮像装置の制御方法は、被写体を撮像して映像信号を生成するステップと、複数の静止画像を連続的に生成する連写動作を行うステップと、レンズ装置との通信により該レンズ装置から受信したメカニカルシャッタに関する情報に基づいて、連写動作を行うときの画像を生成するタイミングを制御するステップとを有することを特徴とする。
【手続補正５】
【補正対象書類名】明細書
【補正対象項目名】００１２
【補正方法】変更
【補正の内容】
【００１２】
さらに、本発明の他の側面としての、メカニカルシャッタを備えた撮像装置に取り外し可能に装着されるレンズ装置の制御方法は、撮像装置における連写動作の制御に用いられるメカニカルシャッタに関する情報を記憶手段から読み出すステップと、撮像装置に対して該メカニカルシャッタに関する情報を送信するステップとを有することを特徴とする。
【手続補正６】
【補正対象書類名】明細書
【補正対象項目名】００１３
【補正方法】変更
【補正の内容】
【００１３】
本発明によれば、装着されたレンズ装置から受信したメカニカルシャッタに関する情報に応じて、撮像装置側での連写動作における静止画像の生成タイミングを適切に制御することができる。この結果、レンズ装置側での連写のための動作タイミングと撮像装置側での連写動作における静止画像の生成タイミングとを合致させることができるとともに、レンズ装置に過度の負荷をかけずに許容された連写速度の範囲内で任意の連写を行うことが可能となる。
【手続補正７】
【補正対象書類名】明細書
【補正対象項目名】００６２
【補正方法】変更
【補正の内容】
【００６２】
以上説明したように、本実施例では、交換レンズ１１５に搭載されたメカニカルシャッタ１１４の連写性能データをカメラ本体１１６に送信し、カメラ本体１１６において該連写性能データに基づいて連写動作における静止画像の生成タイミングを最適に設定する。このため、メカニカルシャッタの動作タイミングとカメラ本体側での連写動作における画像生成タイミングとを合致させることができ、生成される連写静止画像が異常になることを回避できる。しかも、レンズ側に搭載されたメカニカルシャッタの連写性能を十分に引き出して、該メカニカルシャッタに許容される最大の連写速度で連写を行うことができる。
【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
本体と、
前記本体に取り付けられた表示部と、
前記表示部の上部に設けられた第１の無線通信アンテナと、
前記表示部の側部に設けられた第２の無線通信アンテナと、
を有することを特徴とする携帯型情報機器。
【請求項２】
前記第１の無線通信アンテナと前記第２の無線通信アンテナは同種のアンテナであり、
前記第１の無線通信アンテナと前記第２の無線通信アンテナは、互いに離れた位置に設けられたことを特徴とする請求項１に記載の携帯型情報機器。
【請求項３】
前記第１の無線通信アンテナと前記第２の無線通信アンテナは同種のアンテナであり、
前記第１の無線通信アンテナと前記第２の無線通信アンテナは互いに略９０°異なる角度で設けられたことを特徴とする請求項１に記載の携帯型情報機器。
【請求項４】
前記表示部は液晶ディスプレイであり、
前記表示部が備える液晶ドライバ基板が前記表示部の上部と下部のいずれか一方に設けられ、
前記第２の無線通信アンテナは、前記表示部の上部と下部のうち、前記液晶ドライバ基板が設けられている一方と異なる他方の側部に設けられたことを特徴とする請求項１に記載の携帯型情
報機器。
【請求項５】
前記第１の無線通信アンテナおよび前記第２の無線通信アンテナは、一方が前記表示部の表面側に設けられ、他方は、前記表示部の背面側に設けられたことを特徴とする請求項１に記載の携帯型情報機器。
【請求項６】
前記第１の無線通信アンテナに接続された第１の給電ケーブルは、前記第２の無線通信アンテナが設けられる前記表示部の第１の側部と異なる第２の側部を通って前記本体側に繋がるように配線され、
前記第２の無線通信アンテナに接続された第２の給電ケーブルは、前記第２の無線通信アンテナが設けられる前記第１の側部を通って前記本体側に繋がるように配線されたことを特徴とする請求項１に記載の携帯型情報機器。
【請求項７】
本体と、
前記本体に取り付けられた表示部と、
前記表示部の上部に設けられた第１の無線通信アンテナと、
前記本体に設けられた第２の無線通信アンテナと、
を有することを特徴とする携帯型情報機器。
【請求項８】
前記第２の無線通信アンテナは、前記携帯型情報機器の本体の手前部に設けられたことを特徴とする請求項７に記載の携帯型情報機器。
【請求項９】
前記第２の無線通信アンテナは、前記携帯型情報機器の本体の奥部に設けられたことを特徴とする請求項７に記載の携帯型情報機器。
【請求項１０】
前記表示部を前記携帯型情報機器の本体に閉じたときに、前記携帯型情報機器の本体および前記表示部の筐体の、前記第１の無線通信アンテナおよび前記第２の無線通信アンテナに接する部分は、非金属材料からなることを特徴とする請求項１または７に記載の携帯型情報機器。
【請求項１１】
前記携帯型情報機器の本体および前記表示部の筐体の、前記第１の無線通信アンテナと前記第２の無線通信アンテナとが設置される部分が誘電体材料からなり、
前記第１の無線通信アンテナと前記第２の無線通信アンテナは、アンテナ導体部、給電線、およびＧＮＤパターンを前記筐体上に直接設けた構成を有することを特徴とする請求項１または７に記載の携帯型情報機器。
【請求項１２】
前記携帯型情報機器の本体および前記表示部の筐体の、前記第１の無線通信アンテナと前記第２の無線通信アンテナとが設置される部分が金属材料からなり、
前記第１の無線通信アンテナと前記第２の無線通信アンテナは、アンテナ導体部、給電線、およびＧＮＤパターンを前記筐体上に誘電体板を介して設けた構成を有することを特徴とする請求項１または７に記載の携帯型情報機器。
【手続補正２】
【補正対象書類名】明細書
【補正対象項目名】０００７
【補正方法】変更
【補正の内容】
【０００７】
本発明の第１の態様は、上記目的を達成するため、本体と、前記本体に取り付けられた表示部と、前記表示部の上部に設けられた第１の無線通信アンテナと、前記表示部の側部に設けられた第２の無線通信アンテナと、を有することを特徴とする携帯型情報機器を提供する。
【手続補正３】
【補正対象書類名】明細書
【補正対象項目名】００１５
【補正方法】変更
【補正の内容】
【００１５】
上記本発明の第１の態様において、前記表示部は液晶ディスプレイであった場合、前記表示部が備える液晶ドライバ基板が前記表示部の上部と下部のいずれか一方に設けられ、前記第２の無線通信アンテナが前記表示部の上部と下部のうち、前記液晶ドライバ基板が設けられている一方と異なる他方の側部に設けられてもよい。これにより、前記第２の無線通信アンテナを液晶ドライバ基板と距離を置いて配置して、前記液晶ドライバ基板から放射される不要輻射の影響を抑えることにより、ノイズを軽減して電波受信効率を向上させることができる。
【手続補正４】
【補正対象書類名】明細書
【補正対象項目名】００１７
【補正方法】変更
【補正の内容】
【００１７】
本発明の第２の態様は、上記目的を達成するため、本体と、前記本体に取り付けられた表示部と、前記表示部の上部に設けられた第１の無線通信アンテナと、前記本体に設けられた第２の無線通信アンテナと、を有することを特徴とする携帯型情報機器を提供する。
【手続補正５】
【補正対象書類名】明細書
【補正対象項目名】００２３
【補正方法】変更
【補正の内容】
【００２３】
上記本発明の第１または第２の態様において、前記携帯型情報機器の本体および前記表示部の筐体の、前記第１の無線通信アンテナと前記第２の無線通信アンテナとが設置される部分が誘電体材料からなる場合は、前記第１の無線通信アンテナと前記第２の無線通信アンテナは、アンテナ導体部、給電線、およびＧＮＤパターンをめっき等により前記筐体上に直接設けた構成を有してもよい。これにより、前記第１の無線通信アンテナと前記第２の無線通信アンテナを前記携帯型情報機器の筐体と一体に設けることで、前記第１の無線通信アンテナと前記第２の無線通信アンテナと前記携帯型情報機器の筐体との間の距離を厳密に一定に保ち、動作周波数、放射パターン等のアンテナ特性のばらつきを防いで、高い受信効率を得ることができる。
【手続補正６】
【補正対象書類名】明細書
【補正対象項目名】００２４
【補正方法】変更
【補正の内容】
【００２４】
上記本発明の第１または第２の態様において、前記携帯型情報機器の本体および前記表示部の筐体の、前記第１の無線通信アンテナと前記第２の無線通信アンテナとが設置される部分が金属材料からなる場合は、前記第１の無線通信アンテナと前記第２の無線通信アンテナは、アンテナ導体部、給電線、およびＧＮＤパターンを前記筐体上に誘電体板を介して設けた構成を有してもよい。これにより、前記第１の無線通信アンテナと前記第２の無線通信アンテナを前記携帯型情報機器の筐体と一体に設けることで、前記第１の無線通信アンテナと前記第２の無線通信アンテナと前記携帯型情報機器の筐体との間の距離を厳密に一定に保ち、動作周波数、放射パターン等のアンテナ特性のばらつきを防いで、高い受信効率を得ることができる。
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
入力画像情報を保持する記憶手段と、入力画像情報のデータフォーマットを変換する１次元ブロックデータフォーマット変換器と、ラスターデータを処理する画像処理部とを具備する画像処理装置において、前記１次元ブロックデータフォーマット変換器は、入力画像情報をライン方向の複数画素単位でブロック化して固定長圧縮する手段と、入力画像情報の属性情報を同じライン方向のブロック単位でブロック化する手段と、圧縮された画像情報と属性情報を１ブロックごとにパッキングして前記記憶手段に格納する手段とを備えたことを特徴とする画像処理装置。
【請求項２】
パッキングされたデータを復号して回転するパッキングデータ復号回転器と、ブロックデータをラスターデータに変換するブロック‐ラスター変換器とを備えたことを特徴とする請求項１記載の画像処理装置。
【請求項３】
前記パッキングデータ復号回転器は、固定長圧縮画像と属性情報がライン方向の複数画素のブロックごとにパッキングされているデータについて、ライン方向のブロック単位に90°回転したアドレスを発生する手段と、回転したアドレスに従って一度のメモリリードアクセスでライン方向の複数画素のブロックを前記記憶手段から読み出す手段と、読み出したデータを復号して正方形ブロックにする手段とを備えたことを特徴とする請求項２記載の画像処理装置。
【請求項４】
パッキングされたデータを回転するパッキングデータ回転器と、パッキングされたデータを復号するパッキングデータ復号器とを備えたことを特徴とする請求項１記載の画像処理装置。
【請求項５】
前記パッキングデータ回転器は、固定長圧縮画像と属性情報がライン方向の複数画素のブロックごとにパッキングされているデータについて、ライン方向のブロック単位に90°回転したアドレスを発生する手段と、回転したアドレスに従って一度のメモリリードアクセスでライン方向の複数画素のブロックを前記記憶手段から読み出す手段とを備えたことを特徴とする請求項４記載の画像処理装置。
【請求項６】
前記パッキングデータ回転器は、固定長圧縮画像と属性情報がライン方向の複数画素のブロックごとにパッキングされているデータについて、ライン方向のブロック単位に90°回転したアドレスを発生する手段と、回転したアドレスに従って一度のメモリライトアクセスでライン方向の複数画素のブロックを前記記憶手段に書き込む手段とを備えたことを特徴とする請求項４記載の画像処理装置。
【請求項７】
前記入力画像情報は、非圧縮画像情報であることを特徴とする請求項１〜６のいずれかに記載の画像処理装置。
【請求項８】
前記入力画像情報は、可変長圧縮画像情報または固定長圧縮画像情報であることを特徴とする請求項１〜６のいずれかに記載の画像処理装置。
【請求項９】
入力画像情報を保持する記憶手段と、入力画像情報をライン方向の複数画素単位でブロック化して固定長圧縮する手段と、入力画像情報の属性情報を同じライン方向単位でブロック化する手段と、圧縮された画像情報と属性情報を１ブロックごとにパッキングして前記記憶手段に格納する手段とを具備することを特徴とする画像フォーマット変換モジュール。
【請求項１０】
入力画像情報を受信して記憶し、入力画像情報をライン方向の複数画素単位でブロック化して固定長圧縮し、入力画像情報の属性情報を同じライン方向単位でブロック化し、圧縮された画像情報と属性情報を１ブロックごとにパッキングして保存し、パッキングされたデータを復号して90°回転し、回転したブロックデータをラスターデータに変換し、ラスターデータを画像処理して出力することを特徴とする画像処理方法。
【請求項１１】
入力画像情報を受信して記憶し、入力画像情報をライン方向の複数画素単位でブロック化して固定長圧縮し、入力画像情報の属性情報を同じライン方向単位でブロック化し、圧縮された画像情報と属性情報を１ブロックごとにパッキングして保存し、パッキングされたデータを90°回転して記憶し、パッキングされたデータを復号してラスターデータに変換し、ラスターデータを画像処理して出力することを特徴とする画像処理方法。
【手続補正２】
【補正対象書類名】明細書
【補正対象項目名】００１７
【補正方法】変更
【補正の内容】
【００１７】
上記の課題を解決するために、本発明では、入力画像情報を保持する記憶手段と、入力画像情報のデータフォーマットを変換する１次元ブロックデータフォーマット変換器と、ラスターデータを処理する画像処理部とを具備する画像処理装置において、前記１次元ブロックデータフォーマット変換器は、入力画像情報をライン方向の複数画素単位でブロック化して固定長圧縮する手段と、入力画像情報の属性情報を同じライン方向のブロック単位でブロック化する手段と、圧縮された画像情報と属性情報を１ブロックごとにパッキングして前記記憶手段に格納する手段とを備えた構成とした。
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
第一のデバイスの画像データを第二のデバイスの色域にマッピングする色処理方法であって、
前記第一のデバイスから入力した画像データの画像の取得条件を取得し、
前記画像の取得条件に基づき、前記第一のデバイスが使用する色域と画像の取得条件の関係を示すテーブルから、前記入力した画像データの第一の色域情報を取得し、
前記第二のデバイスの色域を示す第二の色域情報を取得し、
前記第一および第二の色域情報に基づき、前記入力した画像データを前記第二の色域情報が示す色域内にマッピングすることを特徴とする色処理方法。
【請求項２】
前記第一の色域情報が示す色域内の画像データを、前記第二の色域情報が示す色域内に階調を保存するようにマッピングすることを特徴とする請求項1に記載された色処理方法。
【請求項３】
前記第一のデバイスはディジタルカメラであり、前記入力した画像データは規格化されたRGB色空間で示されることを特徴とする請求項1または請求項2に記載された色処理方法。
【請求項４】
前記第一のデバイスはディジタルカメラであり、前記第一の色域情報は、前記画像の取得条件である前記ディジタルカメラの撮影条件に対応して前記ディジタルカメラが使用する色域を示すことを特徴とする請求項1または請求項2に記載された色処理方法。
【請求項５】
前記第二のデバイスはプリンタであり、前記第二の色域情報は前記プリンタの色域を示すことを特徴とする請求項1から請求項4の何れか一項に記載された色処理方法。
【請求項６】
第一のデバイスの画像データを第二のデバイスの色域にマッピングする色処理装置であって、
前記第一のデバイスから入力した画像データの画像の取得条件を取得する条件取得手段と、
前記画像の取得条件に基づき、前記第一のデバイスが使用する色域と画像の取得条件の関係を示すテーブルから、前記入力画像データの第一の色域情報を取得する第一の色域情報取得手段と、
前記第二のデバイスの色域を示す第二の色域情報を取得する第二の色域情報取得手段と、
前記第一および第二の色域情報に基づき、前記入力画像データを前記第二の色域情報が示す色域内にマッピングするマッピング手段とを有することを特徴とする色処理装置。
【請求項７】
請求項1から請求項5の何れか一項に記載された色処理をコンピュータに実行させることを特徴とするプログラム。
【手続補正２】
【補正対象書類名】明細書
【補正対象項目名】０００８
【補正方法】変更
【補正の内容】
【０００８】
ディジタルカメラに代表される画像入力デバイスは、例えばsRGB色空間のような色空間画像データとして画像を記録するものの、sRGB色空間の色域、すなわち入力色域のすべてを使用するわけではない。これは、画像入力デバイスの内部演算処理に起因する。
【手続補正３】
【補正対象書類名】明細書
【補正対象項目名】０００９
【補正方法】変更
【補正の内容】
【０００９】
例えば、ディジタルカメラの場合、色作りのために、撮影した環境に応じて内部色変換パラメータを切り替え、そのパラメータを用いて色変換処理を行う。どのような撮影環境用のパラメータを用いて色変換を行ったとしても、入力色域であるsRGB色域内の一部の色域しか記録に使用しない。なお、入力色域の中で実際に使用する色域を使用色域と呼ぶ。
【手続補正４】
【補正対象書類名】明細書
【補正対象項目名】００１７
【補正方法】変更
【補正の内容】
【００１７】
第一のデバイスの画像データを第二のデバイスの色域にマッピングする際、前記第一のデバイスから入力した画像データの画像の取得条件を取得し、前記画像の取得条件に基づき、前記第一のデバイスが使用する色域と画像の取得条件の関係を示すテーブルから、前記入力した画像データの第一の色域情報を取得し、前記第二のデバイスの色域を示す第二の色域情報を取得し、前記第一および第二の色域情報に基づき、前記入力した画像データを前記第二の色域情報が示す色域内にマッピングすることを特徴とする。
【手続補正５】
【補正対象書類名】明細書
【補正対象項目名】００３４
【補正方法】変更
【補正の内容】
【００３４】
次に、出力部104により、ステップS5で出力色域にマッピングした画像データを出力先のデバイスに出力する(S6)。
【手続補正６】
【補正対象書類名】明細書
【補正対象項目名】００３７
【補正方法】変更
【補正の内容】
【００３７】
図9は対応テーブルの一例を示す図で、例えば図3に示す撮影条件と使用色域の対応関係を示している。本実施例において、使用色域は取得条件ごとに予め算出してあるとし、対応テーブルには、取得条件ごとに対応する使用色域が記述されている。なお、対応テーブルの使用色域のデータ形式は、例えば、図7に示した出力色域と同じデータ形式である。また、使用色域の算出方法は後述する。
【手続補正７】
【補正対象書類名】明細書
【補正対象項目名】００４７
【補正方法】変更
【補正の内容】
【００４７】
入力画像がIEC61966-2-1で規定されるsRGB色空間で表現される場合は式(1)および(2)の変換式を使用する。なお、入力画像がsRGB以外の色空間で表される場合は、式(1)は当該色空間に対応するものになり、CIELAB値へ変換する際の白色点も当該色空間に対応する白色点を用いる。また、その場合、入力色域データも当該色空間のデータになる。以下では、CIELAB値に変換された画素値を(Li, ai, bi)とする。
【手続補正８】
【補正対象書類名】明細書
【補正対象項目名】００４９
【補正方法】変更
【補正の内容】
【００４９】
図11は収束点O、入力点λi、直線Oλi、交点PとQ、切替点Rの関係をL*a*平面（またはL*b*平面）で示す図である。
【手続補正９】
【補正対象書類名】明細書
【補正対象項目名】００５０
【補正方法】変更
【補正の内容】
【００５０】
次に、入力点λiが線分OR上に存在するか否かを判定し(S55)、線分OR上に存在する場合は入力点λiの圧縮処理は不要と判断して、出力点（マッピング後のデータ）をλi'(Li', ai', bi')=λi(Li, ai, bi)にする(S56)。
【手続補正１０】
【補正対象書類名】明細書
【補正対象項目名】００７３
【補正方法】変更
【補正の内容】
【００７３】
【図１】写真画像の色域マッピングを説明する図、
【図２】写真画像の色域マッピングを説明する図、
【図３】入力色域と、実際に使用される色域を示す図、
【図４】実施例の画像処理装置の構成例を示すブロック図、
【図５】画像処理装置の画像処理例を示すフローチャート、
【図６】入力画像データのフォーマット例を示す図、
【図７】出力色域データのデータ形式の一例を示す図、
【図８】使用色域設定部の処理の詳細を示すフローチャート、
【図９】取得条件と使用色域の対応を示すテーブル例を示す図、
【図１０】色域マッピング部の処理の詳細を示すフローチャート、
【図１１】収束点O、入力点λi、直線Oλi、交点PとQ、切替点Rの関係をL*a*平面（またはL*b*平面）で示す図、
【図１２】デバイスRGB値を算出するための六面体および四面体を示す図、
【図１３】四面体を用いる内外判定を説明する図である。